(57)【要約】【課題】ミスタッチを確実に防止し、使用者の所望する処理を短期間で完了させる電子機器を提供する。【解決手段】使用者が行うべき操作情報を表示し、その操作に応じた処理を実行させる有効領域を有する画面表示手段（110a）と、有効領域に対する使用者のタッチ操作を受け付けるタッチ入力手段（110b）と、タッチ操作の位置を検出するタッチ位置検出手段（110e）と、タッチ操作の回数を記憶するタッチ回数記憶手段（110f）と、有効領域に対する第１回目のタッチ操作の位置に応じた処理が無効になる旨を使用者に了知させる初回無効了知手段（110g）とを具備する。【選択図】図３
2009025858.tif 000002
【特許請求の範囲】
【請求項１】
使用者が行うべき操作情報を表示し、その操作に応じた処理を実行させる有効領域を有する画面表示手段と、
該有効領域に対する前記使用者のタッチ操作を受け付けるタッチ入力手段と、
該タッチ操作の位置を検出するタッチ位置検出手段と、
該タッチ操作の回数を記憶するタッチ回数記憶手段と、
前記有効領域に対する第１回目のタッチ操作の位置に応じた処理が無効になる旨を前記使用者に了知させる初回無効了知手段と
を具備することを特徴とする電子機器。
【請求項２】
使用者が行うべき操作情報を表示し、その操作に応じた処理を実行させる有効領域を有する画面表示手段と、
該有効領域に対する前記使用者のタッチ操作を受け付けるタッチ入力手段と、
該タッチ操作の位置を検出するタッチ位置検出手段と、
該タッチ操作の回数を記憶するタッチ回数記憶手段と、
前記有効領域に対する第１回目のタッチ操作の位置に応じた処理を無効にする初回処理禁止手段と、
該第１回目以降のタッチ操作の位置に応じた処理を実行する処理実行手段と
を具備することを特徴とする電子機器。
【請求項３】
請求項１に記載の電子機器であって、
前記第１回目のタッチ操作の位置に応じた処理を無効にする初回処理禁止手段と、
該第１回目以降のタッチ操作の位置に応じた処理を実行する処理実行手段と
をさらに具備することを特徴とする電子機器。
【請求項４】
請求項２又は３に記載の電子機器であって、
前記初回処理禁止手段では、前記第１回目のタッチ操作が前記有効領域から離れた場合には、該第１回目のタッチ操作の位置に応じた処理の無効が解除されることを特徴とする電子機器。
【請求項５】
請求項２から４のいずれか一項に記載の電子機器であって、
前記初回処理禁止手段は、前記使用者の第３指による前記第１回目のタッチ操作の位置に応じた処理を無効にし、前記処理実行手段は、該使用者の第２指による第２回目のタッチ操作の位置に応じた処理を実行することを特徴とする電子機器。
【請求項６】
請求項２から４のいずれか一項に記載の電子機器であって、
前記初回処理禁止手段は、前記使用者の手根部による前記第１回目のタッチ操作の位置に応じた処理を無効にし、前記処理実行手段は、該使用者の指による第２回目のタッチ操作の位置に応じた処理を実行することを特徴とする電子機器。
【請求項７】
請求項２から４のいずれか一項に記載の電子機器であって、
前記初回処理禁止手段は、前記使用者の第１指による前記第１回目のタッチ操作の位置に応じた処理を無効にし、前記処理実行手段は、該使用者の第２指による第２回目のタッチ操作の位置に応じた処理を実行することを特徴とする電子機器。
【発明の詳細な説明】
【技術分野】
【０００１】
本発明は、操作ボタン等の画像を画面に表示しておき、使用者が操作ボタンに触れて処理を行う電子機器に関するものである。
【背景技術】
【０００２】
この種の電子機器には例えば液晶ディスプレイ（ＬＣＤ）が備えられ、このディスプレイには、種々の操作情報が画像で表示されている。そして、使用者（ユーザ）が操作の有効領域に触れると、そのタッチ位置に応じた処理が実行可能になる。
【０００３】
ここで、ユーザによるタッチ操作には、ユーザ所望の位置とは異なる位置に誤って触れることが多い。このため、誤ったタッチ位置に応じた処理を無効にする技術が知られている（例えば、特許文献１，２参照）。詳しくは、所定期間長押しされた領域が拡大され、当該領域以外の領域を操作の無効領域にする構成や、誤って触れ得る領域を予め操作の無効領域にする構成がそれぞれ開示されており、これによって当該無効領域に触れても処理は実行されず、ミスタッチが防止される。
【０００４】
【特許文献１】特開平１０−３３２８４８号公報
【特許文献２】特開平９−３２５８５９号公報
【発明の開示】
【発明が解決しようとする課題】
【０００５】
ところで、上記従来の技術では、この操作の無効領域の存在はユーザに知らされておらず、これではユーザ所望の処理を短期間で完了できないとの問題がある。なぜならば、この無効領域の存在を知らないユーザは、ミスタッチを恐れる結果、タッチ操作、特に第１回目のタッチ操作を慎重に行わざるを得ないからである。
【０００６】
また、この所望の処理を短期間で完了させるとの問題を解決するには、そのタッチ位置は速やかに特定されなければならず、さらに、仮にタッチ操作が繰り返される場合にも、タッチ位置のズレを生じさせないことも必要である。しかしながら、上記従来の技術ではこれらの点についても格別な配慮がなされていない。
【０００７】
そこで、本発明の目的は、上記課題を解消し、ミスタッチを確実に防止し、ユーザの所望する処理を短期間で完了させる電子機器を提供することである。
【課題を解決するための手段】
【０００８】
上記目的を達成するための第１の発明は、使用者が行うべき操作情報を表示し、その操作に応じた処理を実行させる有効領域を有する画面表示手段と、有効領域に対する使用者のタッチ操作を受け付けるタッチ入力手段と、タッチ操作の位置を検出するタッチ位置検出手段と、タッチ操作の回数を記憶するタッチ回数記憶手段と、有効領域に対する第１回目のタッチ操作の位置に応じた処理が無効になる旨を使用者に了知させる初回無効了知手段とを具備する。
【０００９】
第１の発明によれば、画面表示手段には、使用者の操作に応じた処理を実行させる有効領域が操作情報に対応して表示されており、タッチ位置検出手段では、タッチ入力手段で受け付けられた有効領域に対するタッチ操作の位置が検出され、タッチ回数記憶手段では、このタッチ操作の回数が計測されている。
そして、初回無効了知手段は、第１回目のタッチ操作の位置に応じた処理が無効になる旨を使用者に了知させる。よって、この使用者は、従来に比して第１回目のタッチ操作を躊躇なく行える。このように、使用者の積極的なタッチ操作を引き出せる結果、この使用者の所望する処理が短期間で完了可能になる。
【００１０】
第２の発明は、使用者が行うべき操作情報を表示し、その操作に応じた処理を実行させる有効領域を有する画面表示手段と、有効領域に対する使用者のタッチ操作を受け付けるタッチ入力手段と、タッチ操作の位置を検出するタッチ位置検出手段と、タッチ操作の回数を記憶するタッチ回数記憶手段と、有効領域に対する第１回目のタッチ操作の位置に応じた処理を無効にする初回処理禁止手段と、第１回目以降のタッチ操作の位置に応じた処理を実行する処理実行手段とを具備する。
【００１１】
第２の発明によれば、使用者による第１回目のタッチ操作は、初回処理禁止手段によってその位置に応じた処理が無効されており、見かけ上、何等の処理も実行されない。そして、次なるタッチ操作は第１回目のタッチ操作を支点として行うことができ、当該支点を得た次なるタッチ操作の位置に応じた処理は、処理実行手段によって実行される。
つまり、この支点を得た次なるタッチ操作の位置は速やかに特定可能になる。また、仮にタッチ操作が繰り返される場合にも、その位置が安定するので、ミスタッチを確実に防止することができる。しかも、この支点を得た次なるタッチ操作によれば、その操作に伴う疲れも軽減可能になる。
【００１２】
第３の発明は、第１の発明の構成において、第１回目のタッチ操作の位置に応じた処理を無効にする初回処理禁止手段と、第１回目以降のタッチ操作の位置に応じた処理を実行する処理実行手段とをさらに具備することを特徴とする。
第３の発明によれば、第１の発明の作用に加えてさらに、この使用者による第１回目のタッチ操作は、初回処理禁止手段によってその位置に応じた処理が無効されており、見かけ上、何等の処理も実行されない。そして、次なるタッチ操作は第１回目のタッチ操作を支点として行うことができ、当該支点を得た次なるタッチ操作の位置に応じた処理は、処理実行手段によって実行される。
つまり、この支点を得た次なるタッチ操作の位置は速やかに特定可能になる。また、仮にタッチ操作が繰り返される場合にも、その位置が安定するので、ミスタッチを確実に防止することができる。しかも、この支点を得た次なるタッチ操作によれば、その操作に伴う疲れも軽減可能になる。
【００１３】
第４の発明は、第２や第３の発明の構成において、初回処理禁止手段では、第１回目のタッチ操作が有効領域から離れた場合には、第１回目のタッチ操作の位置に応じた処理の無効が解除されることを特徴とする。
第４の発明によれば、第２や第３の発明の作用に加えてさらに、この使用者による第１回目のタッチ操作が有効領域から離れた場合には、初回処理禁止手段によってその処理の無効が解除される。したがって、従来の如く解除まで一定期間の経過を待つ必要がないことから、その後のタッチ操作が速やかに行え、この点も短期間での処理の完了に寄与する。
【００１４】
第５の発明は、第２から第４の発明の構成において、初回処理禁止手段は、使用者の第３指による第１回目のタッチ操作の位置に応じた処理を無効にし、処理実行手段は、使用者の第２指による第２回目のタッチ操作の位置に応じた処理を実行することを特徴とする。
第５の発明によれば、第２から第４の発明の作用に加えてさらに、使用者の第３指を支点とし、この支点に近くて器用に動かせる第２指でタッチ操作を行えば、仮に、狙うべきタッチ操作が狭くても正確なタッチができるし、連続したタッチ操作も容易になり、ユーザフレンドリな電子機器になる。
【００１５】
第６の発明は、第２から第４の発明の構成において、初回処理禁止手段は、使用者の手根部による第１回目のタッチ操作の位置に応じた処理を無効にし、処理実行手段は、使用者の指による第２回目のタッチ操作の位置に応じた処理を実行することを特徴とする。
第６の発明によれば、第２から第４の発明の作用に加えてさらに、使用者の手根部を支点とし、その指でタッチ操作を行えば、手を浮かせることなくタッチ操作ができるので、手や指が最も疲れ難くなり、ユーザフレンドリな電子機器になる。
【００１６】
第７の発明は、第２から第４の発明の構成において、初回処理禁止手段は、使用者の第１指による第１回目のタッチ操作の位置に応じた処理を無効にし、処理実行手段は、使用者の第２指による第２回目のタッチ操作の位置に応じた処理を実行することを特徴とする。
第７の発明によれば、第２から第４の発明の作用に加えてさらに、使用者の第１指を支点とし、最も器用に動かせる第２指でタッチ操作を行えば、例えば、この第２指は、第１指を中心とする円弧状になぞる等の如く、種々の操作に対応することができる。
【発明の効果】
【００１７】
本発明によれば、ミスタッチが確実に防止され、使用者の所望する処理が速やかに完了する電子機器を提供することができる。
【発明を実施するための最良の形態】
【００１８】
以下、本発明の電子機器を複写機等の画像形成装置に適用した一実施形態について説明する。
図１には画像形成装置２の概略構成図が示されており、この装置２には、その用紙排出方向の隣接位置に後処理装置４が連結されている。そして、これら各装置２，４には、画像形成制御部１２０及び後処理制御部２５０がそれぞれ装備されている。
【００１９】
詳しくは、各制御部１２０，２５０は、例えば中央演算処理装置（ＣＰＵ）を備えた電子回路から構成され、この電子回路が回路基板上に形成された状態で各装置２，４にそれぞれ内蔵されている。また、各制御部１２０，２５０には、記憶部１３０，２８０がそれぞれ接続されており、各記憶部１３０，２８０は記憶装置（ＲＯＭ，ＲＡＭ）や大容量記憶装置（ハードディスク）等を備えている。
【００２０】
画像形成装置２は操作・表示部１１０を有している。この操作・表示部１１０では使用者（ユーザ）の操作によって種々のデータが設定され、このデータは制御部１２０を介して記憶部１３０に格納される。詳しくは、当該設定には、用紙のサイズ、タイプ及び送り方向、倍率、原稿濃度、枠消去、綴じ代、並びに４ｉｎ１の集約処理等があり、各設定に応じた画像処理が行われる。なお、記憶部１３０には、マルチスレッド処理を行うアプリケーションプログラムも格納されている。
【００２１】
この装置２には、オートシートフィーダ（ＡＳＦ）４００やスキャナ１４４が搭載され、このフィーダ４００にはトレイ１４０が配設されているとともに、用紙センサ１４３が内蔵されている。
また、この装置２内の適宜位置には、用紙搬送方向でみて給紙部１６０、レジストローラ１７０、プリントエンジン１５０、及び定着器１８０が順番に配置され、上記各設定に応じた画像処理が行われる。なお、この用紙には、普通紙以外にトレーシングペーパ、ＯＨＰシートその他のシート状の記録媒体が該当する。
【００２２】
また、本実施例の装置２は用紙の両面に印刷する機能を有している。具体的には、用紙搬送方向でみて定着器１８０よりも下流で、かつ、下方の適宜位置には用紙反転ローラ対１８２が設置されている。さらに、給紙部１６０とエンジン１５０との間には両面印刷用のローラ対１８４が配列されており、これらローラ対１８２，１８４の配列に沿って両面印刷用の用紙搬送経路が形成されている。
【００２３】
そして、この装置２は、排出ローラ対１９１を介して片面或いは両面印刷された用紙を後処理装置４に引き渡している。この装置４は、図２に示された用紙Ｐにファイリング用の孔開け（パンチング処理）を行う、また、一時的にストックされた用紙束Ｐ１をステープル（綴じ針）で綴じ止め（ステープル処理）を行うものであり、これら孔開けされた用紙Ｐや綴じ止めされた用紙束Ｐ１を外部に排出する。
【００２４】
より詳しくは、この後処理装置４は、同図に示される如く略直方体形状のハウジング１１を備えている。このハウジング１１において、排出ローラ対１９１に対峙する側面には用紙搬入口１１１が形成されている。この搬入口１１１にはガイド板１１２が配置され、ガイド板１１２は、搬入口１１１から装置４内に向けて細くなるテーパ状に形成されている。
【００２５】
当該装置４内の適宜位置には、用紙搬送方向でみてパンチングマシン１２、カール取り装置１３、中間トレイ１５、ステープラ１６、及び排出装置２０が順番に配置されている。
このマシン１２は搬入口１１１に隣接して配置されており、例えば２本の孔開け用のパンチロッド１２１が備えられている。各ロッド１２１は、用紙Ｐの搬送方向に直交する方向に所定の間隔を有して並設され、台座に向けて下降可能に構成される。なお、この台座の下方にはパンチ屑受け１２２が配置されている。
【００２６】
カール取り装置１３には、二組のローラ対１３１，１３２が備えられている。各ローラ対１３１，１３２は、定着器１８０にて用紙Ｐに生じたカール（湾曲癖）を除去する。詳しくは、本実施例の各ローラ対１３１，１３２は、互いに逆方向のカールを矯正し、搬送された用紙Ｐを平らな状態に復元させる。なお、このカールの方向は、片面或いは両面印刷によって異なるが、この両面印刷が行われる場合には上述の矯正が特に有効である。
【００２７】
この装置１３の下流側には大小の搬送ローラ対１４が配置され、このローラ対１４の下流側には、用紙Ｐの搬送先を切り替える分岐爪１４１が配置されており、この分岐爪１４１を分岐点として、第１用紙搬送路１１３及び第２用紙搬送路１１４がそれぞれ形成されている。具体的には、前者の搬送路１１３は、同図にてローラ対１４の位置から左斜め上方に向けて延び、排出ローラ対１４２まで形成されている。これに対し、後者の搬送路１１４はこれとは逆に右斜め下方に向けて延び、中間トレイ１５まで形成されている。
【００２８】
また、第２用紙搬送路１１４には、４つの用紙搬入機構１５１が配置されており、用紙Ｐはそのサイズ毎の異なる経路を経由して中間トレイ１５の用紙受け台１５２上へ案内される。この受け台１５２は、押さえコロ１５３と無端ベルト１５５との間に配設されており、ベルト１５５は、搬送路１１４の上端近傍、つまり、受け台１５２の最上部位置に設置された駆動プーリ１５４ａと、この受け台１５２の最下部位置に設置された従動プーリ１５４ｂとの間に掛け回されている。さらに、このベルト１５５には受け止め部材１５４が設けられている。
【００２９】
そして、この受け台１５２は、複数枚（例えば普通紙で２０枚程度）の用紙Ｐを保持可能な容量に設定され、ステープラ１６は、受け台１５２にて形成された用紙束Ｐ１にステープル処理を施している。
このステープル処理は、後処理装置４の排出モードがステープルモードに設定された状態で行われており、ステープラ１６は、受け台１５２に一時的に貯留された用紙束Ｐ１に綴じ止めを行う。
【００３０】
この排出装置２０は、ハウジング１１において、用紙搬入口１１１の反対側の側面に設けられている。
詳しくは、この装置２０は、上下２段に配置された２つのトレイを有しており、本実施例では、メイントレイ３０が下側に配置され、その上側にサブトレイ４０が配置されている。これら各トレイ３０，４０は、同図にてハウジング１１から左斜め上方に向けてせり上がるように傾斜して延びている。各トレイ３０，４０の間には、用紙束Ｐ１の先端を揃える整合部材５０が設けられている。
【００３１】
ベルト１５５は、その駆動によってステープル処理の施された用紙束Ｐ１を上方に向けて搬送し、排出ローラ対１５６は用紙束Ｐ１をメイントレイ３０上に順次排出する。一方、上述した排出ローラ対１４２はステープル処理の施されない用紙Ｐをサブトレイ４０に１枚ずつ排出する。
なお、メイントレイ３０は、ハウジング１１の側面に沿って上下方向に移動可能に構成されており、このトレイ３０の上面位置は、センサ１７によって検知され、用紙束Ｐ１を積載する最適な高さに制御されている。
【００３２】
ところで、上述した両面印刷、パンチング処理やステープル処理等の各処理を実行するか否かは、ユーザが操作・表示部１１０にて操作ボタンのタッチ操作を行うことにより決定される。なお、この操作・表示部１１０で決定した処理は画像形成制御部１２０によって制御され、設定されたデータは記憶部１３０に格納される。
【００３３】
具体的には、図３に示されるように、本実施例の操作・表示部１１０は、画面表示手段としての液晶ディスプレイ（ＬＣＤ）１１０ａ、タッチパネル（タッチ入力手段）１１０ｂ、タッチ制御部１１０ｃ、及びＬＣＤ制御部１１０ｄを備えている。このディスプレイ１１０ａは、画像形成装置２の外装カバー表面において、ユーザから見えやすい位置に設けられており、ＬＣＤ制御部１１０ｄによって駆動される。
【００３４】
また、ディスプレイ１１０ａには、ユーザが行うべき操作情報、例えば用紙サイズ、拡大／縮小、両面印刷、パンチ穴開け、ステープル綴じ、ソート等が文字や絵記号を用いた操作ボタンの態様で表示されており、これら操作情報がタッチ操作の有効領域として表示されている。
タッチパネル１１０ｂは、ディスプレイ１１０ａの表示画面を覆う位置に設けられ、ユーザのタッチ操作を受け付け可能に構成されている。また、このパネル１１０ｂの表面には二次元座標（Ｘ−Ｙ座標）が仮想的に配置されている。
【００３５】
そして、ユーザが、パネル１１０ｂを介してディスプレイ１１０ａの所定の有効領域に触れる（タッチ操作）と、そのタッチ位置はタッチ制御部１１０ｃで検出され、その位置に応じた処理が実行可能になる。
詳しくは、この制御部１１０ｃは、タッチ位置検出部（タッチ位置検出手段）１１０ｅ、タッチ回数記憶部（タッチ回数記憶手段）１１０ｆ、及びタッチ処理実行部１１０ｇを有し、タッチ位置検出部１１０ｅは、パネル１１０ｂの検出方式（例えば超音波式、赤外線式、接点式等）に応じた検出動作を行い、上記有効領域に対するタッチ位置の座標を検出し、タッチ回数記憶部１１０ｆに出力する。
【００３６】
この回数記憶部１１０ｆは、この座標におけるタッチ操作の回数を計測する。具体的には、ユーザが所定の有効領域に触れた時点にてカウントアップし、次いで、当該有効領域から離れた時点にてカウンタのクリアを行っており、このユーザの動作を判定してタッチ処理実行部１１０ｇに出力する。
この処理実行部１１０ｇは、上記タッチ位置の座標や判定された動作に基づき、そのタッチ操作に対応するファンクションを解析し、このファンクションに基づく処理を実行している。
【００３７】
ここで、本実施例の処理実行部１１０ｇは、ユーザのタッチ操作の安定化を図り、ユーザに疲れさせないための種々の機能を備えている。
詳しくは、まず、操作ボタンに対する第１回目のタッチ位置に応じた処理が無効になる旨を使用者に了知させる機能を有している（初回無効了知手段）。換言すれば、当該機能は、ユーザに対して有効領域を了知させるのではなく、無効領域を了知させるものである。
【００３８】
より具体的には、本実施例では、後述する「初回処理無効」ボタンがディスプレイ１１０ａに表示され、ユーザには、当該ボタンを押下した後の第１回目のタッチ位置に応じた処理は実行されない旨が知らされている。
そして、このボタンに対して「画面の総ての領域について反応しない」とのファンクションが登録されており、ユーザが、タッチパネル１１０ｂを介して当該ボタンに触れた場合には、処理実行部１１０ｇは、ディスプレイ１１０ａの総ての領域について反応させない処理を実行する。
【００３９】
次に、有効領域に対する第１回目のタッチ位置に応じた処理を無効にする機能を有している（初回処理禁止手段）。
当該機能は、位置検出部１１０ｅや回数記憶部１１０ｆで検出・記憶された位置や回数に基づいて特定されており、ユーザが「初回処理無効」ボタンに触れた後からカウントして第１回目のタッチ位置、すなわち、ディスプレイ１１０ａに表示された各操作ボタン、並びに、このボタンを囲繞して何等かの反応が生ずる有効領域における総ての処理を実行させないものである。
【００４０】
但し、この機能は、当該第１回目のタッチ操作がその位置から離れた場合、つまり、ユーザの指や手根部等がパネル１１０ｂから離れた瞬間には解除される。なお、このパネル１１０ｂに触れたまま、この第１回目に触れた操作ボタンから他の有効領域に移動した瞬間に解除されても良い。
【００４１】
そして、有効領域に対する第１回目以降（例えば第２回目）のタッチ位置に応じた処理を実行にする機能を有している（処理実行手段）。当該機能も、位置検出部１１０ｅや回数記憶部１１０ｆで検出・記憶された位置や回数に基づいて特定され、ユーザが「初回処理無効」ボタンに触れた後からカウントして第２回目のタッチ位置、すなわち、ディスプレイ１１０ａに表示された各操作ボタンの処理を実行させるものである。
【００４２】
図４，５を参照すると、操作・表示部１１０で実行されるタッチ操作の安定化制御のフローチャートが示されており、以下、上記の如く構成された画像形成装置の本発明に係る作用について説明する。
まず、本実施例では、トレイ１４０にセットされた原稿について、縦方向及び横方向を同率で縮小して用紙に複写する処理を想定して説明する。
【００４３】
まず、画像形成装置２の現在の状態が「待機中」であれば、ディスプレイ１１０ａは、各種の操作ボタンＢ１〜Ｂ６を有する初期画面が所定のレイアウトで表示する（図６）。これら各ボタンＢ１〜Ｂ６の表示枠内には、「用紙サイズ」、「拡大／縮小」、「両面印刷」、「パンチ穴開け」、「ステープルとじ」、「ソート」の順に文字や絵記号を用いて表示されている。
【００４４】
このうち「拡大／縮小」ボタンＢ２に対しては「同率に設定する」とのファンクションが登録されており、ユーザが、タッチパネル１１０ｂを介してボタンＢ２に触れると、その座標が位置検出部１１０ｅで検出され、ボタンＢ２に対するカウントアップが回数記憶部１１０ｆで行われる。これを受けて処理実行部１１０ｇは、ディスプレイ１１０ａに、縦方向及び横方向の倍率を同時に変更させる処理を実行し、その表示内容を図６の初期画面から切り替える（図７）。
【００４５】
当該図７に示された画面には、例えばその左上に「現在表示されている数値」の表示枠Ｃ１、左下に「メッセージ」の表示枠Ｃ２がそれぞれ表示され、また、これら表示枠Ｃ１，Ｃ２の間には、「登録」ボタンＣ３や「リセット」ボタンＣ４が上下方向に沿って表示されている。さらに、「登録」ボタンＣ３のすぐ右側には「数値１％刻み増減」ボタンＣ５が表示され、「リセット」ボタンＣ４のすぐ右側であって、「数値１％刻み増減」ボタンＣ５の下方には「テンキー入力」ボタンＣ６が表示されている。そして、ディスプレイ１１０ａの右半分は「テンキー」の１２個のボタンＣ７が占め、その右上には「初回処理無効」ボタンＣ８が表示されている。
【００４６】
そして、図４のステップＳ４０１では、「初回処理無効」ボタンＣ８がユーザに押下されたか否かが判別され、ボタンＣ８の押下が位置検出部１１０ｅ及び回数記憶部１１０ｆで検出された場合（初回無効了知手段）、すなわちＹＥＳと判定した場合にはステップＳ４０２に進み、処理実行部１１０ｇが、第１回目のタッチ位置に応じた処理を無効にするモードに移行し、画像形成制御部１２０等に出力する。
【００４７】
このステップＳ４０２における無効モードは、図５に示される如く、ステップＳ５０１では、ディスプレイ１１０ａの総ての領域を無効領域に移行させる。
次いで、ステップＳ５０２では、位置検出部１１０ｅ及び回数記憶部１１０ｆが、第１回目のタッチ操作を検出・記憶してステップＳ５０３に進み、当該第１回目のタッチ操作の位置に応じた如何なる処理も無効にする（初回処理禁止手段）。
【００４８】
つまり、図８に示されるように、このユーザの中指（第３指）は「テンキー」ボタンＣ７の左側中央部分に触れてしまっているが、これは「初回処理無効」ボタンＣ８に触れた後からカウントして第１回目のタッチ操作であることから、この操作による処理は無効になり、このボタンＣ７の数値は「現在表示されている数値」の表示枠Ｃ１には表示されない。
【００４９】
なお、当該無効モードは、位置検出部１１０ｅが当該第１回目のタッチ操作、つまり、当該ユーザの中指が「テンキー」ボタンＣ７から離れるまで継続し、仮にこの中指が当該ボタンＣ７から離れた場合、すなわち、ステップＳ５０４でＹＥＳと判定した場合にはステップＳ５０５に進み、処理実行部１１０ｇが当該無効モードを解除する。これにより、この無効モードの一連のルーチンを抜け、その解除された旨は画像形成制御部１２０等に出力される。
【００５０】
一方、上述の図８に示された状態において、このユーザの中指が「テンキー」ボタンＣ７に触れたまま、その示指（第２指）が「数値１％刻み増減」ボタンＣ５の下半分に触れた場合には（ステップＳ４０３、図９）、縦方向及び横方向が同率で縮小される。
詳しくは、この「数値１％刻み増減」ボタンＣ５に対しては「表示されている数値を１％刻みで変更する」とのファンクションが登録されており、この場合、ユーザの示指が、タッチパネル１１０ｂを介してボタンＣ５の当該領域に触れると、その座標が位置検出部１１０ｅで検出される。
【００５１】
同時に、回数記憶部１１０ｆは、「初回処理無効」ボタンＣ８に触れた後からカウントして第２回目のタッチ操作である旨を計測し、処理実行部１１０ｇが当該タッチ位置に応じた処理を実行する（処理実行手段、ステップＳ４０４）。具体的には、「現在表示されている数値」の表示枠Ｃ１には、その数値から１％刻みで減少する値がボタンＣ５の押下に応じて表示され、この示指はユーザ所望の倍率が表示されたときにパネル１１０ｂから離され、上述した一連のルーチンを抜ける。
【００５２】
なお、上記ステップＳ４０１にて、「初回処理無効」ボタンＣ８の押下が検出されていないときには、直ちにステップＳ４０３に進み、第１回目のタッチ位置に応じた処理が実行されることになる。
そして、ユーザが「登録」ボタンＣ３を押下すると、表示枠Ｃ１の数値が確定し、上記初期画面に切り替わる。なお、これらのデータは画像形成制御部１２０を介して記憶部１０３に格納される。
【００５３】
ところで、上述したユーザによるタッチ操作は、ユーザの母指（第１指）と示指とで行われても良い。
詳しくは、図１０に示されたタッチ操作は、その母指が上記第１回目のタッチ操作となり、その位置に応じた処理は無効にされる（初回処理禁止手段）。続いて、その示指による円弧を描く動作が上記第２回目のタッチ操作とされ、この位置に応じた処理を実行されることになる（処理実行手段）。
【００５４】
一方、ユーザによるタッチ操作は、その掌と指とで行われても良い。すなわち、ユーザの掌において、その手首との境界近傍部分である手根部が上記第１回目のタッチ操作となって当該位置に応じた処理は無効にされるのに対し（初回処理禁止手段）、例えばそのユーザの示指が上記第２回目のタッチ操作とされ、この位置に応じた処理が実行されても良い（処理実行手段）。
【００５５】
このように、本実施例の画像形成装置２では、操作・表示部１１０にてユーザのタッチ操作によって倍率やパンチング処理等の種々の設定がなされると、原稿の複写による画像形成処理が行われる。つまり、ユーザがトレイ１４０上に原稿を載置し、操作・表示部１１０の図示しないスタートボタンを押下すると、この原稿はフィーダ４００からスキャナ１４４に向けて一枚ずつ送られた後に排紙される。
【００５６】
スキャナ１４４は原稿画像を走査し、この読み取られた画像データは、制御部１２０を介して１つのジョブ単位で記憶部１３０に格納される。また、この制御部１２０は、この画像データに対し、画像のノイズ除去などの前処理を行った後、各種の設定に応じた画像処理を行い、そのデータをページごとにプリントエンジン１５０に出力する。これにより、このエンジン１５０の感光ドラム表面には静電潜像が形成され、これがトナーで現像される。
【００５７】
一方、給紙部１６０の用紙はレジストローラ１７０に送られ、このローラ１７０で待機される。次いで、上記感光ドラムが所定の回転角に到達したタイミングにて、用紙はローラ１７０からエンジン１５０に向けて搬送され、トナー像が転写される。続いて、この用紙は定着器１８０を通って加熱・加圧され、トナー像が定着されて転写紙となり、片面印刷の場合の用紙は、排出ローラ対１９１の間を通って後処理装置４に引き渡される。
【００５８】
これに対し、両面印刷の場合には、定着器１８０の下流側の用紙搬送経路が排出ローラ対１９１の手前で下方に向けて切り替えられ、片面印刷された用紙は下方に潜り込むように搬送される。次いで、この下方に向けて搬送された用紙は、ローラ対１８２で反対方向、すなわち、上方に向けて搬送される。続いて、この用紙は定着器１８０の下方にて図１中で右方向に向けて搬送され、ローラ対１８４を介してレジストローラ１７０に向けて送られる。そして、未だトナー像の転写がなされていない面にトナー像が転写され、定着後に後処理装置４に引き渡される。
【００５９】
この装置４に引き渡された図２の用紙Ｐは、パンチング処理やステープル処理が施された後、メイントレイ３０やサブトレイ４０に排出される。つまり、この用紙Ｐはガイド板１１２に案内され、パンチングマシン１２に搬送される。このマシン１２では、用紙Ｐの先端位置を図示しないストッパに当接させ、ロッド１２１が用紙Ｐを貫通すると、用紙Ｐの所定位置にはパンチングホールが穿設される。
【００６０】
続いて、マシン１２のストッパが退避すると、用紙Ｐはローラ対１９１の駆動によりカール取り装置１３に送り込まれ、次いで、ローラ対１４に到達する。
ここで、分岐爪１４１が搬送路１１４を閉じると、第１用紙搬送路１１３が開通状態になり、ローラ対１４から送出された用紙Ｐは、分岐爪１４１及び搬送路１１３に案内され、排出ローラ対１４２を介してサブトレイ４０に排出される。
【００６１】
一方、分岐爪１４１が搬送路１１３を閉じると、第２用紙搬送路１１４が開通状態になり、ローラ対１４から送出された用紙Ｐは、分岐爪１４１及び搬送路１１４に案内され、中間トレイ１５を介して受け台１５２に達する。この受け台１５２の用紙Ｐは、コロ１５３によってさらに下方へ送られ、受け止め部材１５４にて停止される。
【００６２】
その後、搬送路１１４に案内された他の用紙Ｐは、例えば片面印刷の場合にはその転写面が先の用紙Ｐの裏面に重ね合わされ、受け止め部材１５４に位置決めされる。受け台１５２上に複数枚の用紙Ｐが整合され、用紙束Ｐ１が形成されると、ステープラ１６によってステープル処理が施される。
次いで、駆動プーリ１５４ａが回転すると、用紙束Ｐ１は上方に搬送され、排出ローラ対１５６を介してメイントレイ３０に排出される。なお、その後、ステープル処理が施された他の用紙束Ｐ１は、トレイ３０の下降によって先の用紙束Ｐ１の上側に排出されることになる。
【００６３】
以上のように、本実施例によれば、ディスプレイ１１０ａには、ユーザの操作に応じた処理を実行させる複数の操作ボタンが表示されており、位置検出部１１０ｅでは、タッチパネル１１０ｂで受け付けられたボタンに対するタッチ位置が検出され、回数記憶部１１０ｆでは、このタッチ操作の回数が計測されている。
【００６４】
そして、処理実行部１１０ｇは、第１回目のタッチ位置に応じた処理が無効になる旨をユーザに了知させている（初回無効了知手段）。よって、従来の如くタッチ位置に応じた処理を単に無効にする場合に比して、このユーザは第１回目のタッチ操作を躊躇なく行える。換言すれば、ユーザの積極的なタッチ操作を引き出すことができる結果、このユーザの所望する処理が短期間で完了可能になる。
【００６５】
また、このユーザによる第１回目のタッチ操作は、処理実行部１１０ｇによってその位置に応じた処理が無効されており、見かけ上、何等の処理も実行されない（初回処理禁止手段）。
そして、第２回目のタッチ操作は第１回目のタッチ操作を支点として行うことができ、当該支点を得た第２回目のタッチ位置に応じた処理は、処理実行部１１０ｇによって実行される（処理実行手段）。つまり、この支点を得た第２回目のタッチ位置は、従来の長押しの場合よりも速やかに特定可能になる。
【００６６】
また、仮にタッチ操作が繰り返される場合にも、その位置が安定するので、ミスタッチを確実に防止することができる。しかも、この支点を得た第２回目のタッチ操作によれば、その操作に伴う疲れも軽減可能になる。
さらに、この第１回目のタッチ位置から離れた場合には、処理実行部１１０ｇによってその第１回目のタッチ位置に応じた処理の無効が解除される。したがって、従来の如く解除まで一定期間の経過を待つ必要がないことから、その後のタッチ操作を速やかに行え、この点も短期間での処理の完了に寄与する。
【００６７】
さらにまた、ユーザの中指を支点とし、この支点に近くて他の指に比して器用に動かせる同じ手の示指でタッチ操作を行えば、仮に、狙うべきタッチ操作が狭くても正確なタッチができるし、連続したタッチ操作も容易になる。
また、ユーザの手根部を支点とし、その示指でタッチ操作を行えば、当該指を有する手を浮かせることなくタッチ操作ができるので、手や指が最も疲れ難くなる。
【００６８】
さらに、ユーザの母指を支点とし、他の指に比して最も器用に動かせる同じ手の示指でタッチ操作を行えば、例えば、この示指は、母指を中心とする円弧状にパネル１１０ｂをなぞる等の如く、種々の操作に対応可能になる。
本発明は、上記実施例に限定されず、特許請求の範囲を逸脱しない範囲で種々の変更を行うことができる。
【００６９】
例えば、上記実施例では、「初回処理無効」ボタンＣ８の押下によってユーザにその旨を了知させているが、必ずしもこの形態に限定されるものではない。つまり、ディスプレイ１１０ａに初回処理の無効モードになる旨のメッセージを表示してユーザに知らせても良く、この場合の処理実行部１１０ｇは、初期画面から切り替わった直後に無効モードに移行させる、若しくは、パネル１１０ｂに触れたまま数秒間経過した場合に無効モードに移行させても良い。
【００７０】
上述した画像形成装置２は電子機器の一例であり、本発明は、各種の電子機器に採用することができる。
詳しくは、タッチ式のパネルを用いて操作を受け付ける電子機器である限り、パーソナルコンピュータ、自動券売機、自動販売機、又は、現金自動預払機（ＡＴＭ）等の他、リモコンの如く操作だけを受け付け、その操作信号を送って本体に動作を実行させるものにも適用することができ、特に、数値設定や時刻変更等を行うタッチ式のパネルに好適である。そして、これら場合にも、上記と同様にミスタッチを確実に防止し、ユーザの所望する処理を短期間で完了させるとの効果を奏する。
【００７１】
その他、本実施例で挙げた各種の部材や駆動部品はいずれも好ましい例示であり、これらは適宜変形して実施することが可能である。
【図面の簡単な説明】
【００７２】
【図１】本発明の一実施形態として例示される画像形成装置の概略図である。
【図２】図１の後処理装置の内部構造を説明する図である。
【図３】図１の操作・表示部の制御に関するブロック図である。
【図４】図１の操作・表示部で実行されるタッチ操作の安定化制御のフローチャートである。
【図５】図１の操作・表示部で実行されるタッチ処理無効モードのフローチャートである。
【図６】図１の初期画面を示した図である。
【図７】図１の初期画面後の画面を示した図である。
【図８】図７の画面に適用されるタッチ操作例を示した図である。
【図９】図７の画面に適用されるタッチ操作例を示した図である。
【図１０】図７の画面に適用される他のタッチ操作例を示した図である。
【符号の説明】
【００７３】
２  画像形成装置（電子機器）
１１０  操作・表示部
１１０ａ  液晶ディスプレイ（画面表示手段）
１１０ｂ  タッチパネル（タッチ入力手段）
１１０ｃ  タッチ制御部
１１０ｅ  タッチ位置検出部（タッチ位置検出手段）
１１０ｆ  タッチ回数記憶部（タッチ回数記憶手段）
１１０ｇ  タッチ処理実行部（初回無効了知手段）
１１０ｇ  タッチ処理実行部（初回処理禁止手段）
１１０ｇ  タッチ処理実行部（処理実行手段）
１２０  画像形成制御部
１３０  記憶部
【図１】
2009025858.tif 000003
【図２】
2009025858.tif 000004
【図３】
2009025858.tif 000005
【図４】
2009025858.tif 000006
【図５】
2009025858.tif 000007
【図６】
2009025858.tif 000008
【図７】
2009025858.tif 000009
【図８】
2009025858.tif 000010
【図９】
2009025858.tif 000011
【図１０】
2009025858.tif 000012